(57)【要約】【課題】本発明は、各種の折帳に対応して、端折れ、皺等の発生に対処すべく構成し、製品品質を向上させことができ、印刷機の稼働率の上昇を図ることが可能な折込ローラ装置を提供することにある。【解決手段】本発明の折込ローラ装置は、輪転印刷機等の折機２に設備され、折胴５と協働して折帳６を作成する一対の折込ローラ１ａ，１ｂを備え、一対の折込ローラのうち、少なくとも片方の折込ローラ１ａのローラ本体２７に段付形成部２７ｂを設けると共に、段付形成部２７ｂに移動カラー８を取付け、移動カラー８を軸方向へ移動させることにより、段付形成部２７ｂの一部が露出するように構成している。【選択図】　　　　図１
2004075231.tif 000002
【特許請求の範囲】
【請求項１】
輪転印刷機等の折機に設備され、折胴と協働して折帳を作成する一対の折込ローラを備えた折込ローラ装置において、前記一対の折込ローラのうち、少なくとも片方の折込ローラに段付形成部を設けると共に、該段付形成部に移動可能部材を取付け、該移動可能部材を軸方向へ移動させることにより、前記段付形成部の一部が露出するように構成したことを特徴とする折込ローラ装置。
【請求項２】
輪転印刷機等の折機に設備され、折胴と協働して折帳を作成する一対の折込ローラを備えた折込ローラ装置において、前記一対の折込ローラのうち、少なくとも片方の折込ローラに段付形成部を設けると共に、該段付形成部に着脱可能部材を取付け、該着脱可能部材を着脱させることにより、前記段付形成部の径寸法が可変となるように構成したことを特徴とする折込ローラ装置。
【請求項３】
前記移動可能部材は、前記段付形成部に嵌装され、かつ軸方向へ移動可能に構成された移動カラーであり、該移動カラーは、前記折帳の仕様に対応して、軸方向へ移動切替えが行えるように設定されていることを特徴とする請求項１に記載の折込ローラ装置。
【請求項４】
前記着脱可能部材は、半径方向に分割可能に構成された分割カラーであり、該分割カラーは、前記折帳の仕様に対応して、前記段付形成部に対し着脱が行えるように設定されていることを特徴とする請求項２に記載の折込ローラ装置。
【請求項５】
輪転印刷機等の折機に設備され、折胴と協働して折帳を作成する一対の折込ローラを備えた折込ローラ装置において、前記一対の折込ローラのうち、少なくとも片方の折込ローラ端部外周面で円周方向の一部に外径が小さい逃げ部を設けると共に、前記折込ローラと連結駆動する駆動ギアの相対的位相切替機構を設け、該相対的位相切替機構を作動させることにより、前記折込ローラの位相が前記折帳の仕様や前記折込ローラ間への挿入タイミングに対応して切替設定し得るように構成したことを特徴とする折込ローラ装置。
【請求項６】
輪転印刷機等の折機に設備され、折胴と協働して折帳を作成する一対の折込ローラを備えた折込ローラ装置において、前記一対の折込ローラのうち、少なくとも片方の折込ローラに段付部を設け、該段付部に、外面円周方向の一部に外径の小さい逃げ部が設けられ、かつ回転可能に構成されたカラーを嵌装させ、該カラーの位相が前記折帳の仕様や前記折込ローラ間への挿入タイミングに対応して任意に設定し得るように構成したことを特徴とする折込ローラ装置。
【発明の詳細な説明】
【０００１】
【発明の属する技術分野】
本発明は、輪転機等の折機に設備した折胴の下方に配設される折込ローラ装置に係り、特に高速運転に適した折込ローラ装置に関するものである。
【０００２】
【従来の技術】
図１１は、新聞用オフセット輪転機の折機において、折胴の下方に設備される従来の折込ローラ装置の構造例説明図、図１２ないし図１６は従来の折込ローラに係る別の構造例説明図、図１７は新聞輪転機の折機に設備される折り畳み装置部及び排紙装置部の概略構成を示す説明図、図１８は図１７のＧ部詳細図、図１９は折帳の形態例説明図である。
新聞用オフセット輪転機は、主として図示省略の給紙装置、印刷装置及び折機２、該折機２において加工形成した折帳６を外部へ搬出する排紙装置１６等によって構成されている。
ところで、折機２及び排紙装置１６部は、図１７及び図１８に示す如く構成され、印刷を終えたウェブ３は、前工程の印刷装置側より連続的に搬送され、ドラグローラ１７にて案内された後、折機２の入口部に設けた三角板１８により縦方向（シート走行方向）に沿って二つ折りされる。次いで、下方に配設されたリードインローラ１９（１９ａ，１９ｂ）やニッピングローラ２０（２０ａ，２０ｂ）等に挟持されて回転移送された後、鋸胴４と折胴５との間に送り込まれる。
【０００３】
鋸胴４の外周面には、軸方向へ沿って鋸刃２２を組み込ませた鋸台２１が設けられ、折胴５には、当該鋸刃２２の受け部材として軸方向へ沿ってゴム等の弾性体で形成した一対の鋸刃受け２３と、ウェブ３の先行端に突き刺してウェブ３を搬送するための針２４と、当該鋸刃２２で断裁されたウェブ３の中央付近を折るための折ブレード２５が取付けられている。
図１７及び図１８に例示の鋸胴４と折胴５には、鋸刃２２と鋸刃受け２３が互いに噛み合うように位相が設定された後、同期して対向回転すべく構成されている。針２４は、針軸に組み付けられた針アームの先端に取付けられており、折胴５の回転と連動し、回転中は所定の位相位置において折胴５から出入りするようになっている。つまり、ウェブ３が鋸刃２２と鋸刃受け２３とで切断される直前の位置で折胴５の表面から飛び出してウェブ３の先端を刺し、ウェブ３を折胴５の外周面に沿って回転移送するように機能している。
【０００４】
上記ウェブ３の回転移送により、ウェブ３の先行端と次の断裁位置の中央部が折込ローラ１ａ，１ｂの直上位置に近づくと、針２４は抜け、当該ウェブ３は折ブレード２５の作用によって折込ローラ１ａ，１ｂの中間係合部へ押し込まれ、次の断裁も行われる。また、折ブレード２５は折胴５に組込まれた折軸に固設され、折胴５の回転と連動し、回転中所定の位相位置において折胴５の円筒面から出入りするようになっている。これにより、折胴５の直下位置で折胴５に巻き付けられたウェブ３は、折込ローラ１部に押し込まれて挟持され、ウェブ流れ方向に対し直角に横折されて、折帳６として下流の羽根車７に移送される。ここで、羽根車７は、折込ローラ１ａ，１ｂを介して移送された折帳６を受け取り、所定のピッチで排紙コンベア２６上へ並べる装置である。
【０００５】
ところで、上記針２４で搬送されているウェブ３の先行端は、一旦折込ローラ１の上部を通過後に針２４から解放され、その中央から折ブレード２５により押し込まれる関係上、当該折込ローラ１側に引き戻され、自由に動き得るシートの端部にバタツキを発生させる傾向がある。このため、折れた状態や皺の付いた状態の折帳６はそのまま巻き込まれて折込ローラ１ａ，１ｂ間に挟持され、端折れや皺が付いた折帳６として排出されることになる。
また、折込ローラ１ａ，１ｂのウェブ３の挟持が確実でなく、移送を開始するタイミングが遅れると、折帳６の後部に次の折帳６が突っかかり、端折れを増大させたり、折り姿勢を狂わせたりすることになることになる。
さらに、従来の折込ローラ１５（１５ａ，１５ｂ）は、図１１に示す如く、ローラ外周面の直径Ｄがストレートに形成されたものであった。
【０００６】
通常、折ブレード２５により折り曲げられた折帳６の図１９に示す袋側Ｐａの四つ折部の見掛けの厚みは、特に、厚頁又は複数の縦折シートを重ねて横折するような所謂セクション折の場合、ペラ側Ｐｂに比べて著しく増大されている。したがって、折込ローラ１５ａ，１５ｂ間の巾方向における挟持引き込み力が異なり、折込ローラ１５ａ，１５ｂ間でシートが絞られて皺や傷が発生する他、折帳６が斜行して落下し、排紙が乱れることが多かった。
上記問題は新聞輪転機のみならず、輪転機に使用する各種形式の折機２の折胴５と協働して折帳６を形成する折込ローラ部分の問題であり、この問題に対処するために各種形状の折込ローラが提案されている。
【０００７】
先ず、特開昭６２−７０１７５号公報には、図１２（ａ）に示す如く、折込ローラ１５ａ，１５ｂの形状として、ローラ巾方向における折帳６の袋側Ｐａに接する部分のローラ径をＤからｄに僅かに小さくした凹外周面部が設けられ、段部Ｑを有したものであり、図１２（ｂ）は、折込ローラ中央部の径をＤからｄに小さくし、段部Ｑを有した形式のものである。
このようなローラ形状によって、折込ローラ１５の巾方向における折帳６の引き込みを均等化し、折れや皺等の不具合の発生を減少させるようにしている。
【０００８】
類似した目的及び機能を含む方法として、実開昭６１−１７６１５０号公報には、図１３（ａ）、（ｂ）に示す如く、回転により対向する円周面において、円周方向当接部２８と、軸方向当接部２８及び軸方向非当接部２９とを設けた折込ローラ１５（１５ａ，１５ｂ）が提示されている。
【０００９】
次に、図１４及び図１５に示すものは、実開平２−７２２７０号公報に開示された折込ローラであり、少なくとも一方の折込ローラ１５のペラ側Ｐｂの軸端部へ同軸的に、かつ円周方向の位相が調整可能に嵌合固定された着脱ローラ１４ａ，１４ｂ部によって構成されており、この着脱ローラ１４部の外周面には部分的に凹欠部（１４ａ部の外周面）が形成され、走行紙のペラ側Ｐｂの後端部が通過する時、該後端部を咥え込まないようにしている。
【００１０】
また同様に、ペラ側の端折れを防止する方法として、実開平１−６４２８７号公報に開示されている方法では、図１６（ａ）、（ｂ）に示す如く、折込ローラ（本体）１５（１５ａ，１５ｂ）の外周面において凹型の溝１３を形成し、対向回転時、当該溝１３部を互いに係合すべく設定すると共に、当該溝１３部が折帳６の移動位置に対応するよう回転タイミング及び直径を設定している。図１６（ａ）は折込ローラの軸方向両端に凹型の溝１３を形成し、図１６（ｂ）は折込ローラの軸方向全域において凹型の溝１３を形成しており、折れたシート端をローラ間で挟持しないようにしている。
【００１１】
一方、図２０及び図２１は、新聞用オフセット輪転機の折機において、折胴の下方に設備される他の従来の折込ローラ装置の構造例説明図、図２２はこの折込ローラに係る不具合点の説明図である。
折機２は、図１７及び図１８に示すものと同様に構成されたものであり、印刷を終えたウェブ３は折込装置である鋸胴４と折胴５との間に送り込まれ、これら鋸胴４と折胴５の対向回転により所定の位置で切断されると共に、下方の折込ローラ１ａ，１ｂ間に送り込まれて折帳６に形成されることになる。これら折機２としての一連の機能は、前記従来例において説明したものと同様である。
ところで、既述したように、折機２で形成する折帳６には種々の形式（仕様）のものがあり、通常、折ブレード２５により折り曲げられた後、折込ローラ１ａ，１ｂ間への挿入移送に際して、様々な不具合が発生することがある。特に、厚頁又は複数の縦折シートを重ねて横折するような所謂セクション折の場合、折込ローラ１ａ，１ｂ間でシートが絞られて皺や傷が発生する他、折帳６が斜行して落下し、排紙が乱れたりして、商品品質を低下させることがあった。
【００１２】
上記問題は、既述したように新聞輪転機のみならず、輪転機に使用する各種形式の折機２の折胴５と協働して折帳６を形成する折込ローラ１ａ，１ｂ部の構造的問題であり、この問題に対処するために次のような形状の折込ローラが提案されている。
図２０及び図２１に例示した折込ローラ装置は、折込ローラ１ａ，１ｂの周長を折帳６と合わせ、折帳６と同期して回転させると共に、例えば、ローラ本体２７に折込ローラ１ａ側外周面の一部へ逃がし用切欠きを加工形成して折帳６の後端部を折り込まないようにすることで折帳６の端折れ及び皺の防止対策としている。
【００１３】
【発明が解決しようとする課題】
しかしながら、上述で例示した種々の折込ローラは、ペラ側Ｐｂの端折れや皺発生対策を目的としているが、例えば新聞等の如く、４頁程度の非常に薄い折帳６から４０頁もの厚い折帳６まで、種々仕様の折帳に十分に対応しているとは言い難いものであった。特に、複数の縦折シートを重ねて同時に横折するような所謂セクション折の場合では、図２２に示す如く、内側薄頁紙の袋側Ｐａ折れ線付近に皺や破れＲが発生するという不具合を有していた。なお、図２２においてＳ１は横折（水平方向）、Ｓ２は縦折（垂直方向）をそれぞれ示している。
【００１４】
本発明はこのような実状に鑑みてなされたものであって、その目的は、各種の折帳に対応して、端折れ、皺等の発生に対処すべく構成し、製品品質を向上させことができ、印刷機の稼働率の上昇を図ることが可能な折込ローラ装置を提供することにある。
【００１５】
【課題を解決するための手段】
上記従来技術の有する課題を解決するために、本発明においては、輪転印刷機等の折機に設備され、折胴と協働して折帳を作成する一対の折込ローラを備えた折込ローラ装置において、前記一対の折込ローラのうち、少なくとも片方の折込ローラに段付形成部を設けると共に、該段付形成部に移動可能部材を取付け、該移動可能部材を軸方向へ移動させることにより、前記段付形成部の一部が露出するように構成している。
【００１６】
また、本発明においては、輪転印刷機等の折機に設備され、折胴と協働して折帳を作成する一対の折込ローラを備えた折込ローラ装置において、前記一対の折込ローラのうち、少なくとも片方の折込ローラに段付形成部を設けると共に、該段付形成部に着脱可能部材を取付け、該着脱可能部材を着脱させることにより、前記段付形成部の径寸法が可変となるように構成している。
【００１７】
そして、本発明において、前記移動可能部材は、前記段付形成部に嵌装され、かつ軸方向へ移動可能に構成された移動カラーであり、該移動カラーは、前記折帳の仕様に対応して、軸方向へ移動切替えが行えるように設定されていることが好ましい。
また、本発明において、前記着脱可能部材は、半径方向に分割可能に構成された分割カラーであり、該分割カラーは、前記折帳の仕様に対応して、前記段付形成部に対し着脱が行えるように設定されていることが好ましい。
【００１８】
さらに、本発明においては、輪転印刷機等の折機に設備され、折胴と協働して折帳を作成する一対の折込ローラを備えた折込ローラ装置において、前記一対の折込ローラのうち、少なくとも片方の折込ローラ端部外周面で円周方向の一部に外径が小さい逃げ部を設けると共に、前記折込ローラと連結駆動する駆動ギアの相対的位相切替機構を設け、該相対的位相切替機構を作動させることにより、前記折込ローラの位相が前記折帳の仕様や前記折込ローラ間への挿入タイミングに対応して切替設定し得るように構成している。
【００１９】
また、本発明においては、輪転印刷機等の折機に設備され、折胴と協働して折帳を作成する一対の折込ローラを備えた折込ローラ装置において、前記一対の折込ローラのうち、少なくとも片方の折込ローラに段付部を設け、該段付部に、外面円周方向の一部に外径の小さい逃げ部が設けられ、かつ回転可能に構成されたカラーを嵌装させ、該カラーの位相が前記折帳の仕様や前記折込ローラ間への挿入タイミングに対応して任意に設定し得るように構成している。
【００２０】
【発明の実施の形態】
以下、本発明を図示の実施の形態に基づいて詳細に説明する。ここで、図１は輪転印刷機の折機において、折胴下方に設備された本発明の第１実施形態に係る折込ローラ装置の構造を示す正面図、図２は本発明の第１実施形態に係る折込ローラ装置の機能を説明するものであり、（ａ）は通常折帳時の場合の設定状態を示す正面図、（ｂ）は切替え時の設定状態を示す正面図である。
なお、本発明の第１実施形態では、従来例と共通する部品及び部位について同一の符号を付している。また、本発明の第１実施形態においても、折機２に搬入されたウェブ３を縦走行方向に沿って半分に折り畳んだ後、鋸胴４と折胴５を介して横方向（水平方向）に切断し、さらに折胴５を介して折胴軸と平行に折り畳んだ状態で、折帳６として羽根車７に移載する折機２及び折込ローラ１としての基本的機能は、前記従来例において説明したものと同様である。
【００２１】
本発明の第１実施形態に係る折込ローラ装置では、図１及び図２に示す如く、折胴５と協働して折帳６を作成する一対の折込ローラ１（１ａ，１ｂ）を備えており、当該折込ローラ１の両端部は、軸受５０を介してフレーム５１に回転自在に支持されている。しかも、これら一対の折込ローラ１のうち、少なくとも片方の折込ローラのローラ本体２７には、大径Ｄの本体部２７ａ及び小径ｄの段付形成部２７ｂが設けられていると共に、当該段付形成部２７ｂには、移動カラー（移動可能部材）８が取付けられており、この移動カラー８を軸方向へ移動させることによって、段付形成部２７ｂの一部が露出するように構成されている。
すなわち、大径Ｄに形成された本体部２７ａは、ローラ本体２７の軸方向中間部に位置して設けられている。また、小径ｄに形成された段付形成部２７ｂは、ローラ本体２７の軸方向端部に位置し、外周面の一部を僅かに小径として段差部２７ｃを形成することによって設けられている。
【００２２】
上記移動カラー８は、ローラ本体２７の段付形成部２７ｂに嵌装され、かつ軸方向へストロークＬの範囲で移動可能に構成されており、折帳６の仕様に対応して、軸方向へ移動切替えが行えるように設定されている。このため、移動カラー８は、厚肉の底部８ａを有し、かつ開口部８ｂ側が段付形成部２７ｂの外周面と嵌合する円筒状体によって形成されている。移動カラー８の外径は、通常、ローラ本体２７の本体部２７ａと同径に形成されているが、異径に形成されたものを用いることも可能である。
また、移動カラー８の底部８ａには、ローラ本体２７と同心軸上の貫通孔８ｃが穿設されており、該貫通孔８ｃには、ローラ本体２７の段付形成部２７ｂよりも更に外側で小径の軸部２７ｄが挿入配置されるようになっている。しかも、移動カラー８の底部８ａには、移動カラー８をローラ本体２７に固定する止めネジ９のネジ孔８ｄが径方向へ沿って設けられている。
なお、ローラ本体２７の本体部２７ａ及び移動カラー８の外周面には、表面を粗面にしたり、セレーション加工やローレット加工を施す等、挟持引き込み性能を高くさせるような構成にしても良い。
【００２３】
次に、このように構成された第１実施形態の折込ローラ１の設定方法について説明する。
先ず、通常折帳６の場合には、図２（ａ）に示す如く、移動カラー８をローラ本体２７の本体部２７ａ側に向かって段付形成部２７ｂ上を移動させ、段差部２７ｃを無くした状態に設定して運転される。また、切替え時の場合には、図２（ｂ）に示す如く、動カラー８をローラ本体２７の本体部２７ａ側から離れる方向に段付形成部２７ｂ上を移動させ、段差部２７ｃが見えて段付形成部２７ｂの一部が露出した状態にし、ローラ本体２７の段付形成部２７ｂが搬送されて来る折帳６の垂直方向折り目、すなわち、図１９の袋側Ｐａに対応するよう設定して運転される。
【００２４】
本発明の第１実施形態に係る折込ローラ１は、既述の如く構成されていることから、以下のような作用を有している。
すなわち、ウェブ３が鋸胴４と折胴５にて切断され折り畳まれた後、折帳６として折込ローラ１ａ，１ｂの挟持回転により拘束された状態で移送されることになる。本発明の第１実施形態では、この折帳６の移送に際して、通常折帳６の場合は、図２（ａ）に示す如く、移動カラー８を嵌装してローラ軸方向全域の直径がほぼ同じになるように設定し、頁数が多く折帳６が厚い場合、特にセクション折の場合の切替え時は、図２（ｂ）に示す如く、移動カラー８をローラ本体２７の外端側へ向けてストロークＬの範囲で段付形成部２７ｂ側から抜き出し、ローラ本体２７上に段差部２７ｃができる状態に設定している。
【００２５】
したがって、本発明の第１実施形態の折込ローラ１では、上記設定により次のような種々の効果を得ることができるようになった。
（１）　通常折帳６の場合、袋側Ｐａを含む折帳全巾で挟持することになるので、折帳６を安定的に移送できる。すなわち、高速運転時においても折帳６のスリップがなく、折帳６の乱れを発生せず、羽根車７上へスムーズに移載可能になるため、後工程におけるトラブルも減少させることができる。
（２）　多頁折帳６、特にセクション折等の切替え時の場合、見掛け厚の大きい袋側Ｐａ部をローラ本体２７の段付形成部２７ｂに係合させて自由に逃がし、他の部分で均等に挟持され引き込まれるので、折帳６に皺や傷等が付き難くなる。
（３）　上記（２）によって、折帳６の移送乱れが無くなるため、後続する折帳６の衝突及び斜行による紙詰まり等のトラブルが無くなる。
（４）　折込ローラ１の組替えを行わずに簡単な操作のみで、各種製品（折帳）に対応して上記（１）ないし（３）に示す効果を得て、製品品質を向上させることができ、その結果、印刷機の稼働率を上昇させることができる。
【００２６】
図３は輪転印刷機の折機において、折胴下方に設備された本発明の第２実施形態に係る折込ローラ装置の構造を示す正面図、図４は本発明の第２実施形態に係る折込ローラ装置の機能を説明するものであり、（ａ）は通常折帳時の場合の設定状態を示す正面図、（ｂ）は切替え時の設定状態を示す正面図である。
なお、本発明の第２実施形態においても、第１実施形態と同様、従来例と共通する部品及び部位について同一の符号を付し、折機２及び折込ローラ１としての基本的機能は、前記従来例において説明したものと同様である。
【００２７】
本発明の第２実施形態に係る折込ローラ装置においても、図３に示す如く、一対の折込ローラ１のうち、少なくとも片方の折込ローラのローラ本体２７には、大径Ｄの本体部２７ａ及び小径ｄの段付形成部２７ｂが設けられていると共に、当該段付形成部２７ｂには、分割カラー（着脱可能部材）１０が取付けられており、この分割カラー１０を着脱させることにより、段付形成部２７ｂの径寸法が可変となるように構成されている。
本実施形態の分割カラー１０は、半径方向に分割可能に構成されており、折帳６の仕様に対応して、段付形成部２７ｂに対し着脱が行えるように設定されている。このため、分割カラー１０は、図３（ａ）、（ｂ）に示す如く、組付けられた状態で有底円筒状体をなす上下一対の横断面半円弧状カラー部１０ａ，１０ｂによって形成されており、これらカラー部１０ａ，１０ｂの内側には、段付形成部２７ｂ及び軸部２７ｄに嵌合する大小２つの凹部が設けられている。また、上側カラー部１０ａの外周面には、固定ネジ１１の頭部を収納する左右一対の切欠き部１１ａ及び貫通孔１１ｂが設けられ、下側カラー部１０ｂの上面には、固定ネジ１１のネジ部と螺合するネジ穴１１ｃが設けられており、分割カラー１０は、固定ネジ１１にて両カラー部１０ａ，１０ｂを固定することにより組付けられるようになっている。その他の構成及び機能は、上記第１実施形態と同様である。
【００２８】
本発明の第２実施形態の折込ローラ１において、通常折帳６の場合には、図４（ａ）に示す如く、分割カラー１０をローラ本体２７の段付形成部２７ｂ及び軸部２７ｄに装着し、段差部２７ｃを無くした状態に設定して運転される。また、多頁折帳６、特にセクション折等の切替え時には、図４（ｂ）に示す如く、カラー分１０ａ，１０ｂを解体して分割カラー１０を取外し、ローラ本体２７の段付形成部２７ｂに折帳６の袋部Ｐａを対応させるよう設定して運転される。その他の作用は、上記第１実施形態と同様である。
【００２９】
したがって、本発明の第２実施形態の折込ローラ１では、上記第１実施形態と同様の効果に加え、次のような種々の効果を得ることができるようになった。
（１）　折込ローラ１を組替えずに、折帳６の仕様（紙厚、頁数など）に適したカラーに容易に交換することができ、より理想的な折込ローラ１の設定が可能となる。
（２）　上記第１実施形態におけるようなカラーを移動（スライド）させるスペースが不要となり、ローラ長を短くして簡素化することができる。
（３）　分割カラー１０部を着脱可能にしたため、清掃等のメンテナンスが容易になる。
【００３０】
図５及び図６は輪転印刷機の折機において、折胴下方に設備された本発明の第３実施形態に係る折込ローラ装置の構造を示す正面図及び矢視図、図７は本発明の第３実施形態に係る折込ローラ装置の要部（切替機構）の側面図、図８は本発明の第３実施形態に係る折込ローラ装置の機能を説明するものであり、（ａ）は通常折帳時の場合の設定状態を示す正面図、（ｂ）は切替え時（セクション折時）の設定状態を示す正面図である。
なお、本発明の第３実施形態においても、第１実施形態と同様、従来例と共通する部品及び部位について同一の符号を付し、折機２及び折込ローラ１としての基本的機能は、前記従来例において説明したものと同様である。
【００３１】
本発明の第３実施形態に係る折込ローラ装置においても、図５〜図７に示す如く、一対の折込ローラ１（１ａ，１ｂ）のうち、少なくとも片方（鋸胴側）の折込ローラ１ａ、或るいは両方の折込ローラ１ａ，１ｂに対し、折帳６の袋側Ｐａであるローラ本体２７の軸方向端部には、円周方向外周面の一部を僅かに小径、つまり逃がし加工にて逃げ部Ｓを設けることにより段付部３０が形成されていると共に、当該ローラ本体２７の軸端部に連結した駆動ギア３１部には、ローラ本体２７と駆動ギア３１の相対的回転方向位相を変えられるように切替機構３２が設けられており、この切替機構３２を作動させることにより、折込ローラ１の位相が折帳６の仕様や折込ローラ１ａ，１ｂ間への挿入タイミングに対応して切替設定し得るように構成されている。
逃げ部Ｓの巾は、搬送されて来る折帳６の縦方向折り目、つまり、図２２の袋側Ｐａと対応する位置に設定されている。
【００３２】
上記切替機構３２として、図５〜図７に例示した装置は、折込ローラ１ａの軸端に自在継手３３が取付けられ、シャフト３４側に取付けた自在継手３３と連結軸４１を介して互いに連結されている。また、シャフト３４の別側先端部には、フランジ３５のボス部３６が固設され、更に、このボス部３６の外径部には駆動ギア３１が嵌装されている。
上記フランジ３５部には、円弧状に形成した複数個（本実施形態では３個）の長孔３７が間隔を置いて周方向に設けられ、駆動ギア３１の側面には、長孔３７と対応する３箇所にメネジ部３１ａが形成されており、駆動ギア３１は、長孔３７からボルト３８を挿通し、メネジ部３１ａに螺合させて固定されるようになっている。
【００３３】
このような構成のもと、ローラ本体２７と駆動ギア３１の相対的位相位置を変更する場合は、一旦ボルト３８を緩め、フランジ３５を所定の位置に回転させた後、再度ボルト３８を締め付けて固定する。本操作により、折ブレード２５を介して順次送り込まれて来る折帳６の搬入タイミングに合わせて折込ローラ１ａの逃げ部Ｓの円周方向位相が調整されることになる。
すなわち、本発明の第３実施形態の折込ローラ１ａにおいて、通常折帳６の場合には、図８（ａ）に示す如く、折帳挿入時に逃げ部Ｓの無い部分が係合し始める状態にタイミングを設定して運転される。また、多頁折帳６、特にセクション折等への切替え時には、図８（ｂ）に示す如く、折帳挿入時に逃げ部Ｓを付けた部分から係合する状態にタイミングを設定して運転が行われる。なお、図８（ｂ）では、折込ローラ１ａの逃げ部Ｓの無い箇所に折込ローラ１ｂの切欠きＴの位置が相対しており、これによって、折帳６の袋側Ｐａ端部が全周にわたりローラ間で挟持されない構造となっている。
【００３４】
本発明の第３実施形態に係る折込ローラ１は、既述の如く構成されていることから、以下のような作用を有している。
すなわち、ウェブ３が鋸胴４と折胴５にて切断され折り畳まれた後、折帳６として折込ローラ１ａ，１ｂの挟持回転により拘束された状態で移送されることになる。本発明の第３実施形態では、この折帳６の折込ローラ１ａ，１ｂへの挿入移送に際して、通常折帳６の場合は、図８（ａ）に示す如く、ローラ本体２７の相対的位相位置を調整し、逃げ部Ｓの無い部分が係合する状態にタイミングを設定して運転し、多頁折帳６の場合、特にセクション折等への切替え時は、図８（ｂ）に示す如く、ローラ本体２７の相対的位相位置を調整し、逃げ部Ｓを付けた部分が係合する状態にタイミングを設定して運転を行っている。
【００３５】
したがって、本発明の第３実施形態の折込ローラ１では、上記設定により、上記第１実施形態及び第２実施形態と同様の効果に加え、次のような種々の効果を得ることができるようになった。
（１）　折込ローラ１ａ，１ｂを組替えずに、折帳６の仕様（紙厚、頁数、セクション折）等に適した位相に変換することができ、より簡単に折込ローラ部の設定が可能となる。
（２）　セクション折時、袋側Ｐａの挟持を逃がすことで、内側のブレード挿入接触部での折帳６の皺や傷等の発生を抑制することができる。
（３）　通常折帳６の時は、折込ローラ１ａ，１ｂの切替えで、折帳６の前端部袋側Ｐａを確実に挟持して折込むことにより、高速で安定した析出を行うことができる。
【００３６】
図９及び図１０は輪転印刷機の折機において、折胴下方に設備された本発明の第４実施形態に係る折込ローラ装置の構造を示す正面図及び矢視図である。
なお、本発明の第４実施形態においても、第１実施形態と同様、従来例と共通する部品及び部位について同一の符号を付し、折機２及び折込ローラ１ａ，１ｂとしての基本的機能は、前記従来例において説明したものと同様である。
【００３７】
本発明の第４実施形態に係る折込ローラ装置においても、図９及び図１０に示す如く、一対の折込ローラ１（１ａ，１ｂ）のうち、少なくとも片方（鋸胴側）の折込ローラ１ａ、或るいは両方の折込ローラ１ａ，１ｂに対し、折帳６の袋側Ｐａであるローラ本体２７の軸方向端部には、小径の段付部３０が形成されていると共に、当該段付部３０には、外面円周方向の一部に外径の小さい逃げ部Ｓを設け、かつ回転可能に構成したカラー３９が嵌装されており、このカラー３９の位相が折帳６の仕様や折込ローラ１ａ，１ｂ間への挿入タイミングに対応して任意に設定し得るように構成されている。
しかも、上記カラー３９は、ローラ本体２７に対して自由に回動でき、かつ当該カラー３９を固定する２本の固定ネジ（セットビス）４０を介して任意の位相位置で固定できるようになっている。
【００３８】
本発明の第４実施形態の折込ローラ１においては、上記カラー３９の設定操作により、折ブレード２５を介して送り込まれる折帳６の挿入タイミングに対する逃げ部Ｓの位相位置を調整する。つまり、通常折帳６の場合は、図８（ａ）に示す如く、逃げ部Ｓの無い部分から係合する状態にタイミングを設定して運転し、多頁折帳６の場合、特にセクション折等への切替え時は、図８（ｂ）に示す如く、逃げ部Ｓを付けた部分から係合する状態にタイミングを設定して運転を行っている。
【００３９】
したがって、本発明の第４実施形態の折込ローラ１ａ，１ｂでは、上記の如く構成されたものであるから、上記第１実施形態〜第３実施形態と同様の効果に加え、次のような種々の効果を得ることができるようになった。
（１）　上記第３実施形態に示す駆動ギア３１部及びギア部カバーの開閉操作構造が不要となり、製造原価を低く抑えることができる。
（２）　ローラ本体２７に対し、カラー３９部のみを回転させるだけで良く、装置の調整及び設定を容易に行うことができる。
【００４０】
以上、本発明の実施の形態につき述べたが、本発明は既述の実施の形態に限定されるものではなく、本発明の要旨を逸脱しない範囲内において種々の変形及び変更を加え得るものである。
【００４１】
【発明の効果】
上述の如く、本発明に係る折込ローラ装置は、輪転印刷機等の折機に設備され、折胴と協働して折帳を作成する一対の折込ローラを備えたものであって、前記一対の折込ローラのうち、少なくとも片方の折込ローラに段付形成部を設けると共に、該段付形成部に移動可能部材を取付け、該移動可能部材を軸方向へ移動させることにより、前記段付形成部の一部が露出するように構成しているので、各種の折帳に対応させて、簡単な操作で端折れや皺等の発生に対処でき、製品品質の向上及び印刷機の稼働率上昇を図ることができる。
【００４２】
また、本発明に係る折込ローラ装置は、輪転印刷機等の折機に設備され、折胴と協働して折帳を作成する一対の折込ローラを備えたものであって、前記一対の折込ローラのうち、少なくとも片方の折込ローラに段付形成部を設けると共に、該段付形成部に着脱可能部材を取付け、該着脱可能部材を着脱させることにより、前記段付形成部の径寸法が可変となるように構成しているので、上記発明と同様の効果が得られる上、折帳の仕様に適した部材に容易に交換でき、より理想的な折込ローラの設定が可能となり、清掃等のメンテナンスも容易に行うことができる。
【００４３】
そして、本発明に係る折込ローラ装置は、輪転印刷機等の折機に設備され、折胴と協働して折帳を作成する一対の折込ローラを備えたものであって、前記一対の折込ローラのうち、少なくとも片方の折込ローラ端部外周面で円周方向の一部に外径が小さい逃げ部を設けると共に、前記折込ローラと連結駆動する駆動ギアの相対的位相切替機構を設け、該相対的位相切替機構を作動させることにより、前記折込ローラの位相が前記折帳の仕様や前記折込ローラ間への挿入タイミングに対応して切替設定し得るように構成しているので、上記発明と同様の効果が得られる上、より簡単に折込ローラ部の設定を行うことができる。
【００４４】
さらに、本発明に係る折込ローラ装置は、輪転印刷機等の折機に設備され、折胴と協働して折帳を作成する一対の折込ローラを備えたものであって、前記一対の折込ローラのうち、少なくとも片方の折込ローラに段付部を設け、該段付部に、外面円周方向の一部に外径の小さい逃げ部が設けられ、かつ回転可能に構成されたカラーを嵌装させ、該カラーの位相が前記折帳の仕様や前記折込ローラ間への挿入タイミングに対応して任意に設定し得るように構成しているので、上記発明と同様の効果が得られる上、製造原価を低くでき、かつ装置の調整及び設定を容易に行うことができる。
【図面の簡単な説明】
【図１】輪転印刷機の折機において、折胴下方に設備された本発明の第１実施形態に係る折込ローラ装置の構造を示す正面図である。
【図２】本発明の第１実施形態に係る折込ローラ装置の機能を説明するものであり、（ａ）は通常折帳時の場合の設定状態を示す正面図、（ｂ）は切替え時の設定状態を示す正面図である。
【図３】（ａ）は輪転印刷機の折機において、折胴下方に設備された本発明の第２実施形態に係る折込ローラ装置の構造を示す正面図、（ｂ）は（ａ）におけるＦ−Ｆ矢視図である。
【図４】本発明の第２実施形態に係る折込ローラ装置の機能を説明するものであり、（ａ）は通常折帳時の場合の設定状態を示す正面図、（ｂ）は切替え時の設定状態を示す正面図である。
【図５】輪転印刷機の折機において、折胴下方に設備された本発明の第３実施形態に係る折込ローラ装置の構造を示す正面図である。
【図６】（ａ）は図５におけるＨ−Ｈ矢視図、（ｂ）は図５におけるＩ−Ｉ矢視図、（ｃ）は図５におけるＪ−Ｊ矢視図である。
【図７】図５におけるＰ部詳細図である。
【図８】本発明の第３実施形態に係る折込ローラ装置の機能を説明するものであり、（ａ）は通常折帳時の場合の設定状態を示す正面図、（ｂ）は切替え時の設定状態を示す正面図である。
【図９】輪転印刷機の折機において、折胴下方に設備された本発明の第４実施形態に係る折込ローラ装置の構造を示す正面図である。
【図１０】（ａ）は図９におけるＫ−Ｋ矢視図、（ｂ）は図９におけるＬ−Ｌ矢視図、（ｃ）は図９におけるＭ−Ｍ矢視図である。
【図１１】輪転印刷機の折機において、折胴下方に設備された従来の折込ローラ装置の構造を示す正面図である。
【図１２】輪転印刷機の折機において、折胴下方に設備された従来の折込ローラ装置の別の構造を示すものであり、（ａ）は折帳の袋側端部に段部を有する折込ローラの正面図、（ｂ）は中間部分の２箇所に段部を有する折込ローラの正面図である。
【図１３】輪転印刷機の折機において、折胴下方に設備された従来の折込ローラ装置のさらに別の構造を示すものであり、（ａ）は両方に軸方向当接部及び軸方向非当接部を設けた折込ローラの斜視図、（ｂ）は一方のみに軸方向当接部及び軸方向非当接部を設けた折込ローラの斜視図である。
【図１４】輪転印刷機の折機において、折胴下方に設備された従来の折込ローラ装置のさらに別の構造を示す正面図である。
【図１５】（ａ）は図１４におけるＡ−Ａ矢視図、（ｂ）は図１４におけるＢ−Ｂ矢視図である。
【図１６】輪転印刷機の折機において、折胴下方に設備された従来の折込ローラ装置のさらに別の構造を示すものであり、（ａ）は軸方向両端に溝を設けた折込ローラの斜視図、（ｂ）は軸方向全域に溝を設けた折込ローラの斜視図である。
【図１７】新聞輪転機の折機に設備される折り畳み装置部の構成を示す概略図である。
【図１８】図１７のＧ部詳細図である。
【図１９】折帳の形態例を示す概略図である。
【図２０】（ａ）は輪転印刷機の折機において、折胴下方に設備された従来の折込ローラ装置のさらに別の構造を示す正面図、（ｂ）は（ａ）の折込ローラを示す側面図である。
【図２１】（ａ）は図２０におけるＬ−Ｌ矢視図、（ｂ）は図２０におけるＭ−Ｍ矢視図である。
【図２２】図２１における折込ローラの不具合点を説明する折帳の斜視図である。
【符号の説明】
１　折込ローラ
２　折機
３　ウェブ
４　鋸胴
５　折胴
６　折帳
７　羽根車
８　移動カラー（移動可能部材）
９　止めネジ
１０　分割カラー（着脱可能部材）
１６　排紙装置
１７　ドラグローラ
１８　三角板
１９　リードインローラ
２０　ニッピングローラ
２５　折ブレード
２６　排紙コンベア
２７　ローラ本体
３０　段付部
３１　駆動ギア
３２　切替機構
３３　自在継手
３４　シャフト
３５　フランジ
３６　ボス部
３７　長穴
３８　ボルト
３９　カラー
４０　固定ネジ
４１　連結軸
Ｓ　逃げ部
【図１】
2004075231.tif 000003
【図２】
2004075231.tif 000004
【図３】
2004075231.tif 000005
【図４】
2004075231.tif 000006
【図５】
2004075231.tif 000007
【図６】
2004075231.tif 000008
【図７】
2004075231.tif 000009
【図８】
2004075231.tif 000010
【図９】
2004075231.tif 000011
【図１０】
2004075231.tif 000012
【図１１】
2004075231.tif 000013
【図１２】
2004075231.tif 000014
【図１３】
2004075231.tif 000015
【図１４】
2004075231.tif 000016
【図１５】
2004075231.tif 000017
【図１６】
2004075231.tif 000018
【図１７】
2004075231.tif 000019
【図１８】
2004075231.tif 000020
【図１９】
2004075231.tif 000021
【図２０】
2004075231.tif 000022
【図２１】
2004075231.tif 000023
【図２２】
2004075231.tif 000024